(57)【特許請求の範囲】
【請求項１】
カップ状の簡易容器を装着保持するとともに、取手を備えたカップホルダであって、前記簡易容器の底部開口の内周が嵌合装着されて当該底部開口の内周のみで保持する第１の装着保持部およびこの簡易容器の底部開口より小径の簡易容器の底部外周に形成された装着部が嵌合装着されて当該底部外周の装着部のみで保持する第２の装着保持部を備えたホルダ底部と、このホルダ底部と一体に形成されて前記各簡易容器の側壁部の外側に配置される握り部およびこの握り部の下方に突き出して前記カップホルダの前方への倒れを支持する指当て部を形成した取手とからなることを特徴とするカップホルダ。
【請求項２】
前記ホルダ底部に下端部が連結されて一体に形成され、前記各簡易容器の側壁部を囲む縦方向に分割されたホルダ側壁部を備えることを特徴とする請求項１記載のカップホルダ。
【請求項３】
前記ホルダ底部および前記取手と連結されるとともに、前記ホルダ底部と平行で前記各簡易容器の側壁部の外側に配置される水平リングを連結して構成したホルダ側壁部を備えることを特徴とする請求項１記載のカップホルダ。
【請求項４】
前記取手の握り部を、上方が広幅で下方が狭幅に形成したことを特徴とする請求項１〜３のいずれかに記載のカップホルダ。
【請求項５】
前記取手の前記握り部に、握った指がかかる凹部を形成したことを特徴とする請求項４記載のカップホルダ。
【発明の詳細な説明】
【０００１】
【発明の属する技術分野】
この発明は、カップホルダに関し、２種類のカップ状の簡易容器を底部だけで保持して取手で持つことができるようにしたもので、軽量化やデザインの多様化などに対応できるとともに、安定して持つことができるようにしたものである。
【従来の技術】
自動販売機やオフォスでの飲料用容器として紙コップやプラスチック製のコップ等の簡易容器が広く用いられており、取手を備えるカップホルダに装着して使用する場合も多く、特にコーヒーやスープなどのホットドリンクでは簡易容器が熱くなることからカップホルダの使用を前提とし、専用のプラスチック製のコップ（インサートカップ）が用いられる場合もある。
【０００２】
このようなカップホルダに装着して使用する簡易容器としては、例えば図１２（ａ）に示すような紙コップ１が用いられ、中空の側壁部２が僅かに底部に向かって小径とされたテーパ状に形成されるとともに、底部開口３の下端より上方に底板４が設けられて塞がれている。
【０００３】
また、カップホルダに装着して使用するプラスチック製の簡易容器としては、例えば図１２（ｂ）に示すようなインサートカップ５が用いられ、中空の側壁部６が底部に向かって僅かに小径とされたテーパ部６ａとこれに連続する円錐状の円錐部６ｂとで構成され、この側壁部６の下方にカップホルダへの装着部となる段差状の円筒部７が形成されて下端が底板８で塞がれている。
【０００４】
このような形状の異なる２種類の簡易容器としての紙コップ１とインサートカップ５を装着できるカップホルダが提案されており、例えば実公平３−４２８５８号公報に開示されたものを図１３に示す。
【０００５】
このカップホルダ１０は、すりばち形のカップ側方受部１１と、カップ底部受部１２と、スタンド部１３と、図示しないハンドル部とを備え、合成樹脂により一体形成されており、カップ底部受部１２に立上部１２ａと開口１２ｂを形成し、紙コップ１の場合には、カップ側方受部１１とカップ底部受部１２の立上部１２ａとの上下部の２か所で保持する一方、インサートカップ５の場合には、カップ側方受部１１とカップ底部受部１２の開口１２ｂとの上下部の２か所で保持することで形状の異なる２種類の簡易容器を装着保持できるようになっている。
【０００６】
【発明が解決しようとする課題】
ところが、このようなカップホルダ１０では、紙コップ１やインサートカップ５のいずれの場合でも、カップ底部受部１２で支持するのに加え、カップ側方受部１１で支持するため、カップホルダ１０にある程度の高さＨが必要となり重量が重く、しかも使用材料も多くコストが高くなってしまうという問題がある。
【０００７】
また、カップホルダ１０がすりばち形のカップ側方受部１１と、カップ底部受部１２と、スタンド部１３と、図示しないハンドル部とを備えて構成されることから、ほぼ簡易容器１，５の形状に沿った一回り大きい外形とならざるを得ず、カップホルダのデザインの多様化を図ることもできないという問題もある。
【０００８】
さらに、カップホルダ１０のハンドル部の形状によっては、重量を支えにくかったり、握りにくいものもあり、安定して持つことができるものが望まれている。
【０００９】
この発明はかかる従来技術の有する課題を解決するためになされたもので、２種類の簡易容器を装着保持することができ、軽量化及びコスト低減を図ることができるとともに、デザインの多様化にも対応でき、しかも安定して持つことができるカップホルダを提供しようとするものである。
【００１０】
【課題を解決するための手段】
これまでのカップホルダに基づき軽量化およびデザインの多様化を図るために必要な条件について検討を重ねたところ、紙コップやインサートカップ等の簡易容器をカップホルダで保持する場合に、簡易容器の底部だけで保持できるようにすれば、カップホルダをホルダ底部と取手とで構成することができ、軽量化を図ることができるとともに、ホルダ側壁部の形状などのデザインの自由度を増大できることおよび安定して持つことができる取手の形状について検討を重ねたところ、上方が広幅で下方が狭幅の方が良く、さらに握り部の下方に指当て部を突き出して形成し、薬指を当てることが有効であることに基づいて本願発明を完成したものであり、具体的な構成は以下の通りである。
【００１１】
すなわち、上記従来技術が有する課題を解決するためこの発明の請求項１記載のカップホルダは、カップ状の簡易容器を装着保持するとともに、取手を備えたカップホルダであって、前記簡易容器の底部開口の内周が嵌合装着されて当該底部開口の内周のみで保持する第１の装着保持部およびこの簡易容器の底部開口より小径の簡易容器の底部外周に形成された装着部が嵌合装着されて当該底部外周の装着部のみで保持する第２の装着保持部を備えたホルダ底部と、このホルダ底部と一体に形成されて前記各簡易容器の側壁部の外側に配置される握り部およびこの握り部の下方に突き出して前記カップホルダの前方への倒れを支持する指当て部を形成した取手とからなることを特徴とするものである。
【００１２】
このカップホルダによれば、簡易容器の底部開口の内周が嵌合装着されて当該底部開口の内周のみで保持する第１の装着保持部およびこの簡易容器の底部開口より小径の簡易容器の底部外周に形成された装着部が嵌合装着されて当該底部外周の装着部のみで保持する第２の装着保持部を備えたホルダ底部と、このホルダ底部と一体に形成されて前記各簡易容器の側壁部の外側に配置される握り部およびこの握り部の下方に突き出して前記カップホルダの前方への倒れを支持する指当て部を形成した取手とで構成するようにしており、ホルダ底部の第１の装着保持部と第２の装着保持部とのそれぞれで２種類の簡易容器の底部を嵌合するだけで保持するようにし、これ以外の部分での支持の必要をなくすことで、軽量化を図るとともに、コスト低減を図り、自由な側壁部とすることができ、デザインの多様化にも対応できるようにしている。
また、取手の握り部の下方に突き出して当該カップホルダの前方への倒れを支持する指当て部を形成するようにしており、指をかけて握る場合に薬指が当たることで前方への倒れを防止するように支持でき、一層握り易く安定して持つことができるようになる。
【００１３】
また、この発明の請求項２記載のカップホルダは、請求項１記載の構成に加え、前記ホルダ底部に下端部が連結されて一体に形成され、前記各簡易容器の側壁部を囲む縦方向に分割されたホルダ側壁部を備えることを特徴とするものである。
【００１４】
このカップホルダによれば、ホルダ底部に下端部が連結されて一体に形成され、前記各簡易容器の側壁部を囲む縦方向に分割されたホルダ側壁部を備えるようにしており、縦方向に分割されたホルダ側壁部によって簡易容器の側壁部に触れないようにすることができ、簡易容器の保持機能を増大することもできるようになる。
【００１５】
さらに、この発明の請求項３記載のカップホルダは、請求項１記載の構成に加え、前記ホルダ底部および前記取手と連結されるとともに、前記ホルダ底部と平行で前記各簡易容器の側壁部の外側に配置される水平リングを連結して構成したホルダ側壁部を備えることを特徴とするものである。
【００１６】
このカップホルダによれば、ホルダ底部と平行で前記各簡易容器の側壁部の外側に配置される水平リングをホルダ底部および取手と連結して構成したホルダ側壁部を備えるようにしており、水平リングによって簡易容器の側壁部に触れないようにすることができ、軽量化やデザインの多様化を図ることもできるようになる。
【００１７】
また、この発明の請求項４記載のカップホルダは、請求項１〜３のいずれかに記載の構成に加え、前記取手の握り部を、上方が広幅で下方が狭幅に形成したことを特徴とするものである。
【００１８】
このカップホルダによれば、前記取手の握り部を、上方が広幅で下方が狭幅に形成するようにしており、指をかけて握る場合に握り易く安定して持つことができるようになる。
【００１９】
さらに、この発明の請求項５記載のカップホルダは、請求項４記載の構成に加え、前記取手の前記握り部に、握った指がかかる凹部を形成したことを特徴とするものである。
【００２０】
このカップホルダによれば、前記取手の前記握り部に、握った指がかかる凹部を形成するようにしており、指をかけて握る場合に握った指が凹部にかかるようになり、一層握り易く安定して持つことができるようになる。
【００２３】
【発明の実施の形態】
以下、この発明の実施の形態について図面に基づき詳細に説明する。
図１〜図４はこの発明のカップホルダの一実施の形態にかかり、図１は外観斜視図、図２は正面図および左半分を省略した右側面図、図３は平面図、図４は２種類の簡易容器の装着保持状態の説明断面図である。
【００２４】
このカップホルダ２０は、２種類の簡易容器としての紙コップ１とインサートカップ５の底部を装着保持して使用するようにしたものであり、ホルダ底部２１と、このホルダ底部２１と一体に形成される取手２２とで構成され、これらが合成樹脂で一体に成形されている。
【００２５】
このカップホルダ２０のホルダ底部２１は、２種類の簡易容器１，５の底部外周を囲むことができる大きさとされた中空側壁２３が内側に湾曲したつづみ形状に形成してあり、中空側壁２３の内側に環状の底板２４が設けられ、内周に上方に突き出す突出筒２５が一体に形成してある。そして、このカップホルダ１０のホルダ底部２１の底板２４には、紙コップ１の底部開口３の内周が嵌合される第１の保持装着部２６が設けられるとともに、突出筒２５には、インサートカップ５の段差のある円筒部７が嵌合される第２の保持装着部２７が設けてある。
【００２６】
紙コップ１用の第１の保持装着部２６は、図３および図４に示すように、ホルダ底部２１の底板２４上に突出筒２５から放射方向に突き出すリブ２８が円周等間隔に複数個、図示例では６個形成されて構成され、これらリブ２８の先端を結ぶ外径が紙コップ１の底部開口３の内径よりわずかに大きく、紙コップ１を押し込むことでしっかりと嵌合保持され、紙コップ１が倒れること無く保持できるようにしてあり、紙コップ１の嵌合を容易とするため各リブ２８の上端部外周が滑らかに切り欠いてある。
【００２７】
なお、この実施の形態では、ホルダ底部２１の中空側壁２３の内径が紙コップ１の底部開口３の外径とほぼ同一に形成してあり、各リブ２８とで紙コップ１の底部開口３を押さえることができるようにしてある。
【００２８】
次に、ホルダ底部２１に設けられるインサートカップ５用の第２の保持装着部２７は、インサートカップ５の段差のある円筒部７で構成された装着部を外周から押さえて保持するようになっており、ホルダ底部２１の環状の突出筒２５の内周面に中心側に突き出す保持突起２９が円周等間隔に複数個、図示例では６個形成して構成してある。
【００２９】
そして、これら複数個の保持突起２９の先端を結ぶ円の内径がインサートカップ５の装着部となる円筒部７の外径より僅かに小さくしてあり、インサートカップ５を押し込むことでしっかりと嵌合保持でき、インサートカップ５が倒れること無く保持できるようにしてある。
【００３０】
したがって、このカップホルダ２０では、ホルダ底部２１の第１の保持装着部２６と第２の保持装着部２７で簡易容器としての紙コップ１とインサートカップ５の底部を嵌合装着することでしっかり取り付けて自立させることができ、紙コップ１とインサートカップ５の底部だけで支持することができる。
【００３１】
このホルダ底部２１に一体に連結される取手２２は、図１および図２に示すように、ホルダ底部２１に下端が連結されて上方に突き出す取手連結部３０が形成してあり、この取手連結部３０がカップホルダ２０のホルダ側壁部の一部をなすかのように配置されるが、カップホルダ２０に嵌合装着される簡易容器１，５の側壁部とは接触しないようにしたり、僅かに接触するように配置してある。
【００３２】
そして、この取手連結部３０に略「３」の字状の取手２２の上下端部２２ａ，２２ｂがそれぞれ連結され、これらを連結する中間の略「３」の字状の握り部２２ｃが一体とされて取手２２が構成されるようになっている。
【００３３】
この取手２２では、上端部２２ａの幅Ｂ１  が広く、下端部２２ｂの幅Ｂ２  が狭く形成してあり、握り部２２ｃも上端が広幅で下端が狭幅の略テーパ状に形成されるとともに、図２（ｂ）に示すように、握り部２２ｃの上下中間部２箇所に握った指がかかる凹部３１が形成され、瓢箪状にくびれた形状としてある。
【００３４】
さらに、この取手２２では、取手２２の握り部２２ｃを握ってカップホルダ２０を持ち上げようとすると、カップホルダ２０が前方に倒れようとする荷重が加わり、通常、この荷重を取手２２の上端部２２ａの上面に親指を乗せて押さえようとするが、次第に重く感じることになることから、握り部２２ｃの外側下方に突き出して指当て部３２が一体に形成してあり、例えば握り部２２ｃに人差し指と中指を入れて握る場合に薬指を指当て部３２に当てるようにして、安定してカップホルダ２０を持ち上げることができるようにしてある。
【００３５】
このように構成したカップホルダ２０では、例えば紙コップ１を装着する場合には、図４の右側半分に示すように、紙コップ１の底部開口３をホルダ底部２１の第１の保持装着部２６を構成する放射方向のリブ２８の外側に押し込むようにする。
【００３６】
すると、紙コップ１は円周６箇所のリブ２８にしっかりと嵌合保持され、底部だけで倒れること無く保持でき、取手２２で持ち上げることができるとともに、取手２２が上が広幅で下が狭い幅としてあるので握り易く、しかも握り部２２ｃに凹部３１と指当て部３２が形成してあるので、一層安定して持ち上げることができる。
【００３７】
また、カップホルダ２０に、例えばインサートカップ５を装着する場合には、図４の左側半分に示すように、インサートカップ５の装着部となる円筒部７をホルダ底部２１の第２の保持装着部２７を構成する中心側の保持突起２９の内側に押し込むようにする。
【００３８】
すると、インサートカップ５は突出筒２５の中心側の保持突起２９にしっかりと嵌合保持され、底部だけで倒れること無く保持でき、取手２２で安定して持ち上げることができるようになる。
【００３９】
したがって、このカップホルダ２０によれば、ホルダ底部２１の第１の保持装着部２６と第２の保持装着部２７に簡易容器としての紙コップ１とインサートカップ５の底部を嵌合装着することで、底部だけでしっかり取り付けて自立させて支持することができる。
【００４０】
これにより、このカップホルダ２０で簡易容器である紙コップ１やインサートカップ５の側壁上部を押える必要がなく、カップホルダ２０をホルダ底部２１と取手２２とで構成することができ、軽量化を図ることができるとともに、使用材料も少なくて済み、コスト低減を図ることもできる。
【００４１】
また、このカップホルダ２０では、取手２２が上が広幅で下が狭い幅としてあるので握り易く、安定して持ち上げることができる。
【００４２】
さらに、取手２２に形成した握り部２２ｃの凹部３１に指をかけることで一層握り易く、しかも荷重の支持も容易となり、一層安定して持ち上げることができる。
【００４３】
また、取手２２の握り部２２ｃの外側下方に突き出して形成した指当て部３２によって、例えば握り部２２ｃに人差し指と中指を入れて握る場合に薬指を指当て部３２に当てることができ、取手２２の握り部２２ｃを握ってカップホルダ２０を持ち上げようとするときに、カップホルダ２０が前方に倒れようとする荷重をわずかな力で支持することができ、一層安定してカップホルダ２０を持ち上げることができる。
【００４４】
したがって、このカップホルダでは、側壁部分を設ける場合に、簡易容器を保持するための機能を必要とせず、形状などの設計を自由にすることができ、例えば、図５（ａ）に示すように、カップホルダ２０のホルダ底部２１の上部に連続して円筒状のホルダ側壁部３３を形成するようにしたり、図５（ｂ）に示すように、ホルダ底部２１の上方に間隔を明けて環状のホルダ側壁部３４を形成するようにすることもできるなど、デザインの多様化を図ることができ、ホルダ側壁部３３，３４を設ける場合には、ホットドリンク等を入れた簡易容器を装着した場合に、直接手などが触れないようにすることができる。
【００４５】
次に、この発明のカップホルダの他の一実施の形態について、図６〜図９により説明するが、既に説明したカップホルダ２０と同一部分には、同一記号を記し、説明は省略する。
【００４６】
このカップホルダ４０では、ホルダ底部２１の上方にホルダ側壁部４１が形成してあり、円筒体４２の上端に僅かに外側に水平に突き出して環状の突出部４３が合成樹脂で一体に成形されるとともに、円周方向等間隔に縦方向のＵ字状溝４４が上端から中間部まで形成してあり、縦方向に分割されたホルダ側壁部４１が形成されている。そして、ホルダ側壁部４１のＵ字状溝４４の約上半分の肉厚が薄くしてあり、軽量化および使用樹脂量の削減が図られている。
【００４７】
このカップホルダ４０では、ホルダ側壁部４１の内径が装着される簡易容器である紙コップ１やインサートカップ５の側壁部の外径に応じて定めてあり、僅かに接触する状態で装着できるようにしたり、簡易容器の外径よりわずかに小さくすることでホルダ側壁部４１を押し拡げて装着するようにし、ホルダ側壁部４１で紙コップ１やインサートカップ５の側壁部を押えることができるようにする。なお、ホルダ底部２１に形成される第１の保持装着部２６および第２の保持装着部２７の構成は既に説明したものと同一であり、紙コップ１やインサートカップ５を底部だけで保持することができる。
【００４８】
このように構成したカップホルダ４０によれば、ホルダ側壁部４１を設けて簡易容器に直接手が触れないようにする場合にも、Ｕ字状溝４４によってカップホルダ４０の軽量化および使用樹脂量の削減を図ることができ、コスト低減を図ることができる。
【００４９】
なお、これまでに説明した２つの実施の形態では、紙コップ１を嵌合保持する第１の保持装着部２６を放射方向のリブ２８で構成するようにしたが、これに限らず、図１０に示すように、環状の突出筒２８ａやこれを分割した分割突出筒で構成するようにし、突出筒２８ａの外側に紙コップ１を嵌合するようにしても良く、インサートカップ５用の第２の保持装着部２７の保持突起２９を突出筒２５の内側中間部に形成する場合に限らず、第２の保持装着部２７の保持突起２９ａを突出筒２５の内側上端に形成するようにしても良い。
【００５０】
次に、この発明のカップホルダのさらに他の一実施の形態について、図１１により説明するが、既に説明したカップホルダ２０と同一部分には、同一記号を記し、説明は省略する。
このカップホルダ５０は、ホルダ底部５１と、参考例としての取手５２と、ホルダ側壁部５３とで構成されており、これらが水平リング５４とこれを連結する連結部材５５で一体に合成樹脂で形成されている。
【００５１】
このカップホルダ５０は、５本の水平リング５４を備え、対角位置の２本の連結部材５５を各水平リング５４の内側に配置してほぼ等間隔に保持するようになっている。そして、下方の２本の水平リング５４ａ，５４ｂ部分でホルダ底部５１が構成され、水平リング５４ｂが底板２４と一体となっており、既に説明したホルダ底部２１と同様に、底板２４上の突出筒２５に第１の保持装着部２６と第２の保持装着部２７とが形成されている。
【００５２】
また、このカップホルダ５０では、上方の３本の水平リング５４ｃ，５４ｄ，５４ｅ部分でホルダ側壁部５３が構成され、これらの内周部に簡易容器としての紙コップ１やインサートカップ５が収納されるようになっており、簡易容器の側壁部とホルダ側壁部５３の水平リング５４ｃ〜５４ｅは接触しない隙間が形成されるようにしてある。
【００５３】
さらに、５本の水平リング５４を連結する２本の連結部材５５のうち１本の連結部材５５ａの上端に連続して略逆Ｊ字状の参考例としての取手５２が形成してあり、取手５２の下端は下方に突き出すとともに、その幅が上が広く下が狭くなるようにしてある。
【００５４】
このように構成したカップホルダ５０では、ホルダ底部５１の第１の保持着部２６および第２の保持装着部２７によって既に説明したカップホルダ２０の場合と同様に、簡易容器としての紙コップ１やインサートカップ５を底部だけで保持することができるとともに、水平リング５４を連結部材５５で間隔を明けて連結したホルダ側壁部５３によって直接簡易容器に手が触れることを防止することができる。
【００５５】
また、このカップホルダ５０では、水平リング５４と連結部材５５とで構成してあるので、使用材料も少なく、軽量化を図ることができるとともに、コスト低減を図ることができ、しかもホルダ側壁部５３で簡易容器を保持する必要がなく、これまでにない斬新なデザインにすることもできる。
【００５６】
なお、上記各実施の形態では、簡易容器として紙コップ１とインサートカップ５を装着保持するカップホルダを例に説明したが、これら簡易容器に限らず他の形状のものであっても良く、特に図示例のような各簡易容器の側壁上部の外径がほぼ同一の場合に限るものでなく、外径に大きな差があっても良い。
【００５７】
また、簡易容器は、底部の形状が２種類の大きさであれば、容器の容量など他の部分の大きさや形状は何等限定するものでなく、材質も紙製のものを２種類等としたり、合成樹脂製のものを２種類等としても良い。
【００５８】
さらに、カップホルダにホルダ側壁部を設ける場合には、その形状は上記各実施の形態に限らず、内部に簡易容器を収納できるものであれば、簡易容器の側壁部と接触しないものや接触するものなど自由に設計するようにすれば良い。
【００５９】
【発明の効果】
以上、実施の形態とともに具体的に説明したように、この発明の請求項１記載のカップホルダによれば、簡易容器の底部開口の内周が嵌合装着されて当該底部開口の内周のみで保持する第１の装着保持部およびこの簡易容器の底部開口より小径の簡易容器の底部外周に形成された装着部が嵌合装着されて当該底部外周の装着部のみで保持する第２の装着保持部を備えたホルダ底部と、このホルダ底部と一体に形成されて前記各簡易容器の側壁部の外側に配置される握り部およびこの握り部の下方に突き出して前記カップホルダの前方への倒れを支持する指当て部を形成した取手とで構成するようにしたので、ホルダ底部の第１の装着保持部と第２の装着保持部とのそれぞれで２種類の簡易容器の底部を嵌合するだけで保持することができ、これ以外の部分での支持の必要をなくすことが可能となり、軽量化を図るとともに、コスト低減を図ることができ、自由なホルダ側壁部とすることができ、デザインの多様化にも対応することができる。
また、取手の握り部の下方に突き出して当該カップホルダの前方への倒れを支持する指当て部を形成するようにしたので、指をかけて握る場合に薬指が当たることで前方への倒れを防止するように支持でき、一層握り易く安定して持つことができる。
【００６０】
また、この発明の請求項２記載のカップホルダによれば、ホルダ底部に下端部が連結されて一体に形成され、前記各簡易容器の側壁部を囲む縦方向に分割されたホルダ側壁部を備えるようにしたので、縦方向に分割されたホルダ側壁部によって、カップホルダの軽量化およびコスト低減を図ることができ、しかも簡易容器の側壁部に触れないようにすることができ、簡易容器の保持力を増大することもできる。
【００６１】
さらに、この発明の請求項３記載のカップホルダによれば、ホルダ底部と平行で前記各簡易容器の側壁部の外側に配置される水平リングをホルダ底部および取手と連結して構成したホルダ側壁部を備えるようにしたので、水平リングによって軽量化やコスト低減を図ることができるとともに、簡易容器の側壁部に触れないようにすることができ、デザインの多様化も図ることもできる。
【００６２】
また、この発明の請求項４記載のカップホルダによれば、前記取手の握り部を、上方が広幅で下方が狭幅に形成するようにしたので、指をかけて握る場合に握り易く安定して持つことができる。
【００６３】
さらに、この発明の請求項５記載のカップホルダによれば、前記取手の前記握り部に、握った指がかかる凹部を形成するようにしたので、指をかけて握る場合に握った指が凹部にかかるようになり、一層握り易く安定して持つことができる。
【図面の簡単な説明】
【図１】この発明のカップホルダの一実施の形態にかかる外観斜視図である。
【図２】この発明のカップホルダの一実施の形態にかかる正面図および左半分を省略した右側面図である。
【図３】この発明のカップホルダの一実施の形態にかかる平面図である。
【図４】この発明のカップホルダの一実施の形態にかかる２種類の簡易容器の装着保持状態の説明断面図である。
【図５】この発明のカップホルダのそれぞれ他の一実施の形態にかかる外観斜視図である。
【図６】この発明のカップホルダのさらに他の一実施の形態にかかる平面図である。
【図７】この発明のカップホルダのさらに他の一実施の形態にかかる左半分を切欠いて示す部分断面図である。
【図８】この発明のカップホルダのさらに他の一実施の形態にかかる左半分を省略した右側面図である。
【図９】この発明のカップホルダのさらに他の一実施の形態にかかる２種類の簡易容器の装着保持状態の説明断面図である。
【図１０】この発明のカップホルダの他の一実施の形態にかかるホルダ底部の右半分を省略した拡大断面図および２種類の簡易容器の装着保持状態の右半分を省略した説明断面図である。
【図１１】この発明のカップホルダの他の一実施の形態にかかり、（ａ）は参考例の取手とともに示すホルダの外観斜視図、（ｂ）は２種類の簡易容器の装着保持状態の説明断面図である。
【図１２】この発明のカップホルダの装着対象である簡易容器の断面図である。
【図１３】従来のカップホルダの断面図である。
【符号の説明】
１ 紙コップ（簡易容器）
３ 底部開口
５ インサートカップ（簡易容器）
７ 円筒部（装着部）
２０ カップホルダ
２１ ホルダ底部
２２ 取手
２２ｃ 握り部
２５ 突出筒
２６ 第１の保持装着部
２７ 第２の保持装着部
２８ リブ
２９ 保持突起
３０ 取手連結部
３１ 凹部
３２ 指当て部
３３，３４ ホルダ側壁部
４０ カップホルダ
４１ ホルダ側壁部
４２ 円筒体
４３ 突出部
４４ Ｕ字状溝
５０ カップホルダ
５１ ホルダ底部
５３ ホルダ側壁部
５４ 水平リング
５５ 連結部材
【図１】
0003615703.tif 000002
【図２】
0003615703.tif 000003
【図３】
0003615703.tif 000004
【図４】
0003615703.tif 000005
【図５】
0003615703.tif 000006
【図６】
0003615703.tif 000007
【図７】
0003615703.tif 000008
【図８】
0003615703.tif 000009
【図９】
0003615703.tif 000010
【図１０】
0003615703.tif 000011
【図１１】
0003615703.tif 000012
【図１２】
0003615703.tif 000013
【図１３】
0003615703.tif 000014